(57)【要約】【課題】    パソコンの入力において、マウスをマウスパッド上で操作をおこなうとき、画面上のマウスポインター、ならびにカーソルを必要に応じて一時待機状態にできることを目的とするもので、マウスパッドの一端にマウス台座を設けたマウス台座付マウスパッドを提供する。【解決手段】  マウスパッドの一端にマウス置く台座を設ける。前記台座はマウスの各方式の動作を感知しない台座にして、前記台座にマウス底面積よりやや小さい孔を設ける。前記孔の底面にレーザーセンサーの受光、検出装置の検出できない色、または反射板等の材質の面で構成して、マウスを前記台座に置くことでマウスポインター、あるいはカーソルを一時待機状態となるように設ける。【選択図】図１
2009252228.tif 000002
【特許請求の範囲】
【請求項１】
パソコン入力装置のマウスをマウスパッド上の操作において、前記マウスパッドの一端にマウスを置く台座を設ける。前記台座はマウスのレーザー方式の反射光、またボール方式の動きを感知しない厚みの台座で形成する。
前記台座にマウスの底面積よりやや小さい孔を設けて、前記孔の底面はレーザーセンサー、読取検出のできない色を配色した材質の面、又は鏡、及び透明材等の面で構成する。よって前記台座にマウスを置くことでマウスポインター、あるいはカーソルを一時待機状態にできることを特徴とするマウス台座付マウスパッド。
【請求項２】
前記マウス台座にマウスより大きい凹状の嵌め込みスペースを設けて、前記凹状に嵌め込むピースを複数枚用いて、複数枚のピースの孔は夫々異なる大きさの孔を設ける。よって利用するマウスの底面積に合った前記ピースを用いて、前記凹状のスペースに嵌装することを特徴とする請求項１記載のマウス台座付マウスパッド。
【請求項３】
マウスパッドの一端に台座を設ける。前記台座は前記マウスパッドの表面と略面一となるように鏡、又は透明材等を埋設するように構成することで、レーザー方式マウスを前記台座に置くことでマウスポインター、あるいはカーソルを一時待機状態にできることを特徴とするマウス台座付マウスパッド。
【請求項４】
前記台座の表面隅の縁部に側壁部を設けて、前記マウスを置きやすく、また脱落防止をすることを特徴とする請求項１、２、又は３記載のマウス台座およびマウス台座付マウスパッド。
【発明の詳細な説明】
【０００１】  本発明は、パソコン入力装置のマウス操作において利用するマウスパッドに関する。
【背景技術】
【０００２】  パソコンを操作するにあたり、マウスパッッドを下敷きにしてマウスを扱うもので様々存在するが、それら、さらに効率に改良したマウスパッドがある。【０００３】  マウスパッドの一辺を立ち上げることで、ある程度の斜頚の状況であっても、マウス脱落防止付きマウスパッドが提供されている。（例えば特許文献１）【０００４】  また、内部に計算機が組込まれたマウスパッドであって、前記計算機が前記マウスパッドの表面より操作できるマウスパッドが提供されている。（例えば特許文献２）【０００５】
【特許文献１】  特開２００６−２８５６３３号広報
【特許文献２】  実用新案登録第３０３７８０２号広報
【発明の開示】
【発明が解決しようとする課題】
【０００６】  しかしながら、従来のマウスパッドにも下記のような問題がある。
従来のマウスパッド、特許文献１及び２において、パソコンの入力装置であるマウスをマウスパッド上で操作から離れて、パソコンのキーボードの入力操作中、あるいは他の作業によって放置状態のとき、マウスポインターはマウスが僅かな振動や揺れによって画面上様々な位置に移動した状態において、マウスのクリックボタンを不用意によって右、又は左をクリックすることでパソコン作業に不要な動作をすることがある。【０００７】  そこで本発明は、上記の課題に鑑みマウスパッド上でマウスによる入力操作をしないとき、誤動作による入力を防ぐマウスパッドを提供するものである。
【課題を解決するための手段】
【０００８】  上記目的を達成するために、本発明はパソコン入力装置のマウスをマウスパッド上の操作において、前記マウスパッドの一端にマウスを置く台座を設ける。
前記台座はマウスのレーザー方式の反射光、またはボール方式の動きを感知しない厚みの台座で形成する。前記台座にマウスの底面積よりやや小さい孔を設けて、前記孔の底面はレーザーセンサー部の読取検出のできない色で配色した材質の面、又は鏡、又は透明材の面で構成する。よって前記台座にマウスを置くことでマウスポインター、あるいはカーソルを一時待機状態にできることから誤動作入力を防ぐことを特徴とする。【０００９】  また、前記マウス台座にマウスより大きい凹状の嵌め込み市ペースを設けて、前記凹状に嵌め込むピースを複数枚用いて、前期ピースの孔を設けるにあたり、夫々の前記ピースの各々異なる大きさの孔を設ける。よって利用するマウスの底面積にあったピースを用いて前記凹状のスペースに嵌装することで多種多様のマウスが利用できることを特徴とする。【００１０】  また、マウスパッドの一端に台座を設ける。前記台座は前記マウスパッドの表面と略面一となるように鏡、又は透明材等を埋設するように構成することで、レーザー方式マウスを前記台座におくことでマウスポインター、あるいはカーソルを一時待機状態にできることを特徴とする。【００１１】  また、前記台座の表面隅の緑部に側壁部を設けて、前記マウスを置きやすく、また脱落防止することを特徴とする。
【発明の効果】
【００１２】  本発明は、以上説明したように構成されているので、以下に記載されているような効果を奏する。【００１３】  請求項１、及び３記載の発明によれば、本発明に係るマウス台座付マウスパッドは、パソコン操作において、マウスをマウス台座に置くことで、パソコン画面上のマウスポインターを移動しない状態で、連続的におこなう作業を効率的にできる。
また長時間のキーボードの操作中、マウスポインター、又はカーソルの移動をして誤った入力を防ぐことが可能である。
さらに、パソコン操作を一時的に中断して、あらかじめマウスポインターを不要位置に移動することで、他の作業中にマウスボタンを押しても不慮の入力を防止できる。【００１４】  請求項２記載の発明によれば、前記台座に凹状の嵌め込み部を設けて、様々な孔を設けたピースを利用することで、マウスの大きさに合わせて利用することから多くのマウスに適合することで経済的である。【００１５】  請求項４記載の発明によれば、隅の緑部に側壁部によって、マウスを即座に移動して台座に置くことが容易である。とともに脱落を防ぐことができる。
【発明を実施するための最良の形態】
【００１６】  本発明の実施の形態について図面を参照して説明する。【００１７】  本発明に係る、パソコンの入力装置のマウス操作において利用するマウスパッドに伴う、台座付マウスパッドの実施例について図面を参照にして説明する。【００１８】  図１、図２、及び図３は本発明の第１の実施例の図である。図１はマウスと台座付マウスパッドの平面図である。図２はマウス台座の上にマウスを置いた状態の平面図である。図３は図２のＡ―Ａの要部断面図である。【００１９】  第一実施例における、図中の１はマウスを置く台座の部分である。２は一端にマウスを置く台座を設けたマウスパッド２である。３は前記台座の部分に凹状とした孔である。５はマウスで、６はマウスの底面である。４は凹状の孔の底部に鏡、又は無地の色、あるいは光沢の底面６である。【００２０】  前記台座１に設けた凹状の孔３の底面まだの深さは３ｍｍ前後にすることで、ボール方式マウスの動き、あるいはセンサー方式マウスのセンサーが感知できなくなるものである。よってマウス５を台座１上に載せることで、マウス５が動いてもマウスポインターは移動せず停止した状態で、常に待機状態である。【００２１】    したがって、上記の構成によりパソコンの入力装置のマウス５をマウスパッド１上で操作して画面上にマウスポインターを自在に移動するが、作業によってはマウスポインターの移動を停止したいとき、マウス５をマウスパッド２より持上げて台座１上に置く、又は画面上のマウスポインターを適当な位置にしてマウス５の右クリック押したまま持上げて、マウス底面６が台座１の凹状の孔３上に置くことで、マウスポインターは停止する。
マウスポインターは上記の状態で台座付マウスパッド２が振動や揺れにおいてもマウスポインター移動せず、停止して待機状態となる。【００２２】  また、図４、図５は第二実施例を示すもので、第４図はマウスパッド２上の一端に一般のマウス５より大きい長方形の凹状のピース受孔を設けた平面図である。第５図は第４図のマウス５を置く台座の要部平面図で、長方形の凹状の孔に嵌め込む各嵌め込みピースの平面図である。【００２３】  第二実施例における図中の７は長方形の凹状のピース受孔である。８Ａ、８Ｂ、８Ｃ、８Ｄ、．．．の夫夫は前記ピース受孔７に嵌め込みピースである。３Ａ、３Ｂ、３Ｃ、３Ｄ、．．．は前記ピース受孔７の夫々に異なる径と形状の孔を設ける。
なお、前記ピース受孔７の底面に前項と同様に鏡、又は無地の色、あるいは光沢の面を設ける。【００２４】  したがって上記の構成により、パソコン入力装置のマウスパッド２上でマウス５を操作するにあたり、マウス５の種類に応じてマウスパッド２の凹状のピース受７に嵌め込みピース８を嵌装するものである。よって多種多様のマウス５を扱うことができるものである。【００２５】  また、図６、図７は第三実施例を示すものである。図６はマウスパッドの一端に略面一となるように鏡を埋設した平面図である。図７はＢ―Ｂの要部断面図である。【００２６】  第三実施例における図中の９はマウスパッドの一端に埋め込んだ鏡台座である。１０は前記鏡台座とマウスパッドの操作面上との境界線の溝である。【００２７】  したがって上記の構成により、パソコン入力装置のマウス５はレーザー方式マウス専用として利用するものである。またマウスパッド上でマウス操作範囲とマウス台座の境界線の溝１０を手で感ずることで、その範囲を知らせるものである。【００２８】  また、図８は第四実施例を示すものである。図８は台座の表面隅の縁部に側壁部を設けたマウスパッドの平面図である。【００２９】  第四実施例における図中の１２は側壁部である。【００３０】  前項の説明の如く、マウス５を台座１に置くさい、側壁部１１に接触するように置くことで、定められた位置に容易に置くことができる。また前記台座上のマウスが側壁部１１によってマウスパッドより脱落を防ぐことができるものである。
【図面の簡単な説明】
【００３１】
【図１】  本発明の第一実施例を示す図で、マウスと台座付マウスパッドの平面図である。
【図２】  第一実施例における、マウスを台座に置いた要部平面図である。
【図３】  図２のＡ―Ａの断面図である。
【図４】  本発明の第二実施例を示す図で、長方形の凹状のピース受孔設けたマウスパッドの平面図、及び各嵌め込みピースの平面図である。
【図５】  図４の台座のピース受孔に嵌め込みピースを嵌装した要部平面図である。
【図６】  本発明の第三実施例を示す図で、マウスパッド上に略面一となるよう鏡を埋設した平面図である。
【図７】  図６のＢ―Ｂの断面図である。
【図８】  本発明の第四実施例を示す図で、台座の表面隅の緑部に側壁部を設けた平面図である。
【符号の説明】
【００３２】  １は台座                                  ２はマウスマッド
３、３Ａ、３Ｂ、３Ｃ、３Ｄは凹状の孔
４は孔の底面                              ５はマウス
６はマウスの底面                          ７は凹状のピース受孔
８、８Ａ、８Ｂ、８Ｃ、８Ｄは嵌め込みピース
９は鏡台座                                １０は境界線の溝
１１は側壁部
【図１】
2009252228.tif 000003
【図２】
2009252228.tif 000004
【図３】
2009252228.tif 000005
【図４】
2009252228.tif 000006
【図５】
2009252228.tif 000007
【図６】
2009252228.tif 000008
【図７】
2009252228.tif 000009
【図８】
2009252228.tif 000010